(57)【要約】【課題】ノートページの原本性、証拠性を有しつつ、デザイン上の美観を損なうことなく、ページの差し替え防止、及び／又は検出を行う。【解決手段】ユーザが使用するマイノートのノートページを生成する機能を有効にするマイノート生成機能指定手段と、ノートページを生成するとき、ノートページ毎に、固有かつ序列可能な序列ＩＤを付与する序列ＩＤ生成手段と、序列ＩＤをノートページに付与する際、序列ＩＤを不可読な形態に変換する序列ＩＤ不可読変換手段と、不可読な形態に変換された序列ＩＤを、ノートページに形成する序列ＩＤ形成手段と、を含む。【選択図】図１
2014154928.tif 000002
【特許請求の範囲】
【請求項１】
ユーザが使用するマイノートのノートページを生成する機能を有効にするマイノート生成機能指定手段と、
前記ノートページを生成するとき、前記ノートページ毎に、固有かつ序列可能な序列ＩＤを付与する序列ＩＤ生成手段と、
前記序列ＩＤを前記ノートページに付与する際、前記序列ＩＤを不可読な形態に変換する序列ＩＤ不可読変換手段と、
前記不可読な形態に変換された序列ＩＤを、前記ノートページに印刷する序列ＩＤ印刷手段と、
を含むことを特徴とする画像形成装置。
【請求項２】
前記序列ＩＤ印刷手段によって印刷される最終印刷成果物の予想イメージを表示する表示手段を含み、前記表示手段には、前記最終印刷成果物に付与される序列ＩＤとは異なったダミーの序列ＩＤが表示されることを特徴とする請求項１に記載の画像形成装置。
【請求項３】
前記付与された序列ＩＤを解析し、前記序列ＩＤが付与されたノートページが改竄されたか否かの判定を行う序列ＩＤ鑑定手段をさらに含み、前記序列ＩＤ鑑定手段は、鑑定対象たるノートページの序列ＩＤと、前記鑑定対象たるノートページの少なくとも前後何れか１枚のノートページの序列ＩＤとを比較することを特徴とする請求項１又は２に記載の画像形成装置。
【請求項４】
前記ノートページにおけるレイアウトを含む共通描画要素を印刷する共通描画要素印刷手段をさらに含み、前期共通描画要素印刷手段は孔版印刷ユニットであり、前記序列ＩＤ印刷手段はインクジェットユニットであることを特徴とする請求項１から３の何れか１項に記載の画像形成装置。
【請求項５】
楕円曲線におけるスカラー倍算を前記ノートページのページ数に対応させ、前記スカラー倍算によって得られた座標点を、前記序列ＩＤに対応させることを特徴とする請求項１から４の何れか１項に記載の画像形成装置。
【請求項６】
前記序列ＩＤは、疑似ノイズ符号（ＰＮ：Pseudorandom Noise符号）が２次元コード用にパターン化された画像に対して付与されることを特徴とする請求項１から５の何れか１項に記載の画像形成装置。
【請求項７】
前記序列ＩＤは、位置変調された疑似ノイズ符号（ＰＮ符号）が仮想格子からなるシンボルエリアに割り付けられたドット位置に対して付与されることを特徴とする請求項１から５の何れか１項に記載の画像形成装置。
【請求項８】
孔版方式画像形成ユニットとインクジェット方式画像形成ユニットとを含む画像形成システムであって、
ユーザ自身が使用するマイノートのノートページを生成する機能を有効にするマイノート生成機能指定手段と、
前記ノートページを生成するとき、前記ノートページ毎に、固有かつ序列可能な序列ＩＤを付与する序列ＩＤ生成手段と、
前記序列ＩＤを前記ノートページに付与する際、前記序列ＩＤを不可読な形態に変換する序列ＩＤ不可読変換手段と、
前記不可読な形態に変換された序列ＩＤを、前記ノートページに印刷する序列ＩＤ印刷手段と、
を含むことを特徴とする画像形成システム。
【請求項９】
画像形成装置の制御方法であって
マイノート生成機能指定手段が、ユーザが使用するマイノートのノートページを生成する機能を有効にする工程と、
序列ＩＤ生成手段が、前記ノートページを生成するとき、前記ノートページ毎に、固有かつ序列可能な序列ＩＤを付与する工程と、
序列ＩＤ不可読変換手段が、前記序列ＩＤを前記ノートページに付与する際、前記序列ＩＤを不可読な形態に変換する工程と、
序列ＩＤ形成手段が、前記不可読な形態に変換された序列ＩＤを、前記ノートページに形成する工程と、
を含むことを特徴とする制御方法。
【発明の詳細な説明】
【技術分野】
【０００１】
本発明は、画像形成装置、画像形成システム、及び制御方法に関する。
【背景技術】
【０００２】
公文書、私文書はもとより、個人的なノートやメモ帳の類においても、原本性たる証拠性を必要とされるものがある。例えば、クリエイター用や研究者・開発者用に供されるものが挙げられる。
【０００３】
これらの用に供されるノート類は、創作活動、又は研究開発活動のプロセスにおいて、デザインやアイディア、実験データ等の中間成果物が、いつ、如何なる過程を経て得られたのかが重要である。そして、これが改竄されることなく記録されていることが必要とされる。
【０００４】
改竄の中でも、特にページの差し替え防止、及び／又は検出は、必要最低限の条件の1つである。そして、従来のノート類においては、背綴じに糸を用いた、“かがり綴じ”といわれる中綴じや、背に糊をつけてページを一体に固着した“無線綴じ”等を施したものが提供されている。また、ノートのコバ面である側面に適当なパターンを印刷したもの等、差し替え防止、及び／又は検出の対策がなされたもの等が提供されている。
【０００５】
特許文献１は、原本のスキャンデータから、メッセージダイジェスト（ＭＤ５）を用いて原稿の特徴量を抽出している。そして、メインＩＤ、サブＩＤ、時刻、及び機器ＩＤを取得し、これらの情報を原本情報として、原稿と一体化されたＲＦＩＤに記録すると共にサーバにも保存している。さらに、原本鑑定を行う場合、全原稿のＲＦＩＤを読み込み、各特徴量や順番をチェックしている技術が開示されている。
【０００６】
特許文献２は、原本のスキャンデータから、原稿特徴量を抽出し、これを原本情報としてサーバに保存している。そして、原本鑑定を行う場合、ページ順序が入れ替わっていたり、ページ数が異なっていたりする場合でも、同一のページをすべて含んでいれば原本性があると判定する技術が開示されている。
【０００７】
特許文献３は、ページの差し替えを自由に行えるような機能をもつ画像形成装置が開示されている。現状ではむしろ、特許文献３に示されている技術の方が付加価値を有していると見做されている。
【発明の概要】
【発明が解決しようとする課題】
【０００８】
特許文献１や特許文献２は、原本となる文書の特徴量を抽出し、サーバに保存し、原本鑑定に利用している。何をもって原本性を有する証拠性の保証とするかにもよるが、そもそも従来のノート類においても、後からの加筆等は原則として防止、及び／又は検知できないのであるから、特許文献１に記載された技術を用いても、ページ内の加筆等の改竄を検出することはできない。
【０００９】
一方、特許文献２に記載されている、ページ順や、ページの脱落、及び／又は追加は、そもそも原本性が崩れていると見做せる。いずれにせよ、サーバ上に原本性を保証する原本情報を保存して登録する必要がある。個人的なノートやメモ帳の類においても、そのような処理を行わなければならないのは煩雑である。また、サーバ上の原本情報も長期にわたって改竄、消去や破壊されることなく保存されなければならないという問題もある。
【００１０】
現状、原本性を有する証拠性を有したノート類は、メーカーメイドによる既製のものがほとんどである。よって、ユーザが独自に生成するノート類のような毎葉タイプのものにおいては、かがり綴じや無線綴じまでを行える環境は殆どないことが多い。
【００１１】
それは、このような機能を有する画像形成装置等が存在しないわけではないが、装置一式として揃えるには高価・大がかりであったり、オプション扱いであったりするからである。そのため、非選択や非装着の状態で導入されることが多いためである。
【００１２】
上述した背綴じ処理やコバ面印刷等を行うことなく、原本情報を保存するサーバも必要とせず、枚葉タイプのノート類においても、原本性たる証拠性を有するような仕組みも提案されている。しかしながら、ＵＶインキ、ＲＦＩＤを使用した場合、ページ順が正しいか否かを判断する指標である序列ＩＤの鑑定において、ブラックライトやＲＦＩＤリーダ等が必要となる。また、バーコードや２次元コードを使用した場合、ノートページのデザイン上の美観を損なう等の課題もある。
【００１３】
そこで本発明は、上記従来技術の問題点に鑑みてなされたものであって、ノートページの原本性、証拠性を有しつつ、デザイン上の美観を損なうことなく、ページの差し替え防止、及び／又は検出を行うことが可能な画像形成装置を提供することを目的とする。
【課題を解決するための手段】
【００１４】
上記課題を解決するため、請求項１に記載の本発明における画像形成装置は、ユーザが使用するマイノートのノートページを生成する機能を有効にするマイノート生成機能指定手段と、前記ノートページを生成するとき、前記ノートページ毎に、固有かつ序列可能な序列ＩＤを付与する序列ＩＤ生成手段と、前記序列ＩＤを前記ノートページに付与する際、前記序列ＩＤを不可読な形態に変換する序列ＩＤ不可読変換手段と、前記不可読な形態に変換された序列ＩＤを、前記ノートページに形成する序列ＩＤ形成手段と、を含むことを特徴とする。
【発明の効果】
【００１５】
本発明によれば、ノートページの原本性、証拠性を有しつつ、デザイン上の美観を損なうことなく、ページの差し替え防止、及び／又は検出を行うことが可能な画像形成装置を得ることができる。
【図面の簡単な説明】
【００１６】
【図１】本発明の実施形態に係る画像形成装置を含む画像形成システムの構成を示す概略ブロック図である。
【図２】本発明の実施形態に係る画像形成装置の一例を示す概略構成図である。
【図３】本発明の実施形態に係る画像形成装置のハードウェアである電装基板の構成を示す概略ブロック図である。
【図４】本発明の第１の実施形態に係る画像形成装置の動作時にタッチパネルに表示されるメニュー画面の例を示す図（その１）である。
【図５】本発明の第１の実施形態に係る画像形成装置の動作時にタッチパネルに表示されるメニュー画面の例を示す図（その２）である。
【図６】本発明の第１の実施形態に係る画像形成装置の動作時にタッチパネルに表示されるメニュー画面の例を示す図（その３）である。
【図７】本発明の第１の実施形態に係る画像形成装置の動作時にタッチパネルに表示されるメニュー画面の例を示す図（その４）である。
【図８】本発明の第１の実施形態に係る画像形成装置における最終印刷成果物の仕上がりイメージの表示例を示す図である。
【図９】本発明の第１の実施形態に係る画像形成装置における最終印刷成果物の例を示す図である。
【図１０】本発明の第１の実施形態に係る画像形成装置の動作を説明するための処理の流れ図（その１）である。
【図１１】本発明の第１の実施形態に係る画像形成装置の動作を説明するための処理の流れ図（その２）である。
【図１２】本発明の第２の実施形態に係る画像形成装置における序列ＩＤ鑑定を説明するための概略図である。
【図１３】本発明の第２の実施形態に係る画像形成装置の動作を説明するための処理の流れ図である。
【図１４】本発明の第３の実施形態に係る画像形成装置のランダムビット符号生成を説明するための概略図である。
【図１５】本発明の第３の実施形態に係る画像形成装置におけＰＮ符号による序列ＩＤ付与を説明するための概略図である。
【図１６】本発明の第４の実施形態に係る画像形成装置におけるＰＮ符号による序列ＩＤ付与を説明するための概略図である。
【発明を実施するための形態】
【００１７】
次に、本発明を実施するための形態について図面を参照して詳細に説明する。なお、各図中、同一又は相当する部分には同一の符号を付しており、その重複説明は適宜に簡略化乃至省略する。
【００１８】
本発明は、画像形成システムに関し、詳細にはデジタル孔版印刷装置等の印刷システムに適用される。また、電子写真方式やインクジェット方式等作像エンジンを採用する、複写機、複合機能プリンタ等の他の画像形成装置にも適用可能である。
【００１９】
まず、図１を用いて本発明の実施形態における画像形成装置の構成について説明する。図１は、本発明の実施形態に係る画像形成装置を含む画像形成システムの構成を示す概略ブロック図である。
【００２０】
図１に示すように、本発明の実施形態における画像形成システム（以下、「孔版印刷システム」ともいう。）１は、孔版方式画像形成ユニットと、インクジェット方式画像形成ユニットと、から構成されるいわゆるハイブリッド型孔版印刷システムである。孔版印刷システム１は、画像形成装置（以下、「孔版印刷装置」ともいう。）１００を内蔵している。
【００２１】
孔版印刷装置１００は、マイノート生成機能指定手段２と、共通描画要素印刷手段３と、序列ＩＤ印刷手段６と、読み取りモード切換手段７と、序列ＩＤ生成手段４と、序列ＩＤ不可読変換手段５と、序列ＩＤ鑑定手段８と、から構成されている。また、序列ＩＤ生成手段４、序列ＩＤ不可読変換手段５、及び序列ＩＤ鑑定手段８は、制御手段９に含まれる。なお、マイノート生成機能は、ユーザ自身で使用するノートページを生成する機能である。
【００２２】
マイノート生成機能指定手段２は、ノートページの形態を自由にコーディネートでき、マイノート生成機能を有効にするか否かの設定を行う。また、当該機能を実行する場合、当該機能を実行するために必要なパラメータ、又は指示等の設定を行う。この、マイノート生成機能指定手段２は、タッチパネル１１５によって実現される。
【００２３】
共通描画要素印刷手段３は、マイノート生成に際し、生成される一連のノートページにおいて、当該ノートページのレイアウト、配色、背景等の共通描画要素を印刷する。この、共通描画要素印刷手段３は、孔版ユニット１６０によって実現される。
【００２４】
序列ＩＤ生成手段４は、マイノート生成機能の差し替え防止オプションを有効にしたとき、当該一連のノートページの序列を一意に決定できる序列ＩＤをノートページ毎に生成する。この、序列ＩＤ生成手段４は、孔版印刷装置１００の制御部２０によって実現される。
【００２５】
序列ＩＤ不可読変換手段５は、生成された序列ＩＤを、当該序列ＩＤが当該ノートページに付与された際に、人間が直接理解できない不可読な形態に変換する。この、序列ＩＤ不可読変換手段５は、孔版印刷装置１００の制御部２０によって実現される。
【００２６】
序列ＩＤ印刷手段６は、マイノート生成機能の差し替え防止オプションを有効にしたとき、ノートページへの不可読変換された序列ＩＤの付与を、難視認性インキによる印刷によって行う。この、序列ＩＤ印刷手段６は、後述するインクジェットユニット１５０によって実現される。
【００２７】
読み取りモード切換手段７は、マイノート生成機能の序列ＩＤ鑑定オプションを有効にしたとき、ノートページの差し替え判定のための光学スキャナである光学読取装置の読み取り動作において、当該光学スキャナをカラー読み取りモードに切り換える。この、読み取りモード切換手段７は、イメージスキャナ１１０によって実現される。
【００２８】
序列ＩＤ鑑定手段８は、マイノート生成機能の序列ＩＤ鑑定オプションを有効にしたとき、差し替え鑑定対象のノートページ、又は必要に応じその前後のノートページから抽出した序列ＩＤを解析する。そして、当該ノートページが改竄、特に差し替えされたものであるか否かの判定を行う。この、序列ＩＤ鑑定手段８は、孔版印刷装置１００の制御部２０によって実現される。
【００２９】
制御手段９は、マイノート生成機能指定手段２において、当該機能を実行する旨の設定がなされたとき、マイノート生成機能指定手段２において指定された事項に従い、当該ノートページのレイアウト、配色、背景等の共通描画要素を生成、又は選択する。そして、差し替え防止オプションが指定されていた場合、序列ＩＤ生成手段４により、当該一連のノートページの序列を一意に決定できる序列ＩＤをノートページ毎に生成する。
【００３０】
さらに、制御手段９は、序列ＩＤ不可読変換手段５により、生成した序列ＩＤを人間が直接理解できない不可読な形態に変換する。そして、共通描画要素印刷手段３により、共通描画要素を印刷し、序列ＩＤ印刷手段６により、難視認性のインキにより印刷し、もって所定の一連のマイノートページを生成する。
【００３１】
一方、制御手段９は、序列ＩＤ鑑定オプションが指定されていた場合、読み取りモード切換手段７により、光学スキャナである光学読取装置の読み取り動作モードをカラー読み取りモードに切り換える。そして、当該スキャナにより差し替え鑑定対象のノートページ、又は必要に応じその前後のノートページを読み取る。
【００３２】
さらに、制御手段９は、序列ＩＤ鑑定手段８により、ノートページから抽出された序列ＩＤを解析することによって、当該ノートページが改竄、特に差し替えされたものであるか否かの判定を行う。この一連の動作を制御する制御手段９は、孔版印刷装置１００の制御部２０によって実現される。
【００３３】
なお、一般的に、画像形成に用いる色材を、孔版印刷装置をはじめとする印刷装置等では、“インキ”、インクジェット方式の画像機器等では、“インク”とそれぞれ称されることが多い。以下の説明においては、画像形成に供されるユニットの如何を問わず、“インキ”と称することとする。
【００３４】
次に、図２を用いて本発明の実施形態における画像形成装置の一例について説明する。図２は、本発明の実施形態に係る画像形成装置の一例を示す概略構成図である。
【００３５】
孔版印刷装置１００の基本構成は、装置本体の内部に、マスタ１０７が外周面に巻着される印刷ドラム１０１と、印圧手段となるプレスローラ１０２と、製版装置となるプロッタ１０３と、排版手段１０４とを備えている。そして、装置本体の右側に配置された給紙手段１０５から給紙される記録紙１０６をプレスローラ１０２で印刷ドラム１０１に押し当てることで、巻着されたマスタ１０７の画像を記録紙１０６に転写する。
【００３６】
片面印刷の場合、画像転写された記録紙１０６を搬送手段１０８で装置本体の左側に配置された排紙手段１０９へと搬送する。両面印刷の場合、片面の印刷が終了した記録紙を、切換部材１２１により再給紙手段１２２に導き、再び給紙させることにより裏面に印刷を行う。さらに、当該孔版方式による用紙搬送経路中である画像形成経路中には、インクジェットユニット１５０が配置されている。
【００３７】
装置本体の上部には、画像読取手段であるカラースキャナ１１０が配置されており、原稿画像を読み取り、製版に用いる画像データを取得している。装置本体の上部正面には、孔版印刷装置１００の操作部となる操作パネル１１１が配設されている。
【００３８】
操作パネル１１１には、印刷や製版の切替キー１１３、スタートキー１１４、表示部１１５、初期設定／プリンタ設定キー１１６、印刷位置調整キー１１７、及びプリントスピード設定キー１１８等が配置されている。表示部１１５は、ＬＣＤ（Liquid Crystal Display）のタッチパネルで構成されており、その画面には、各種案内情報や各種操作画面が適宜表示される。操作画面が、ユーザ、又は装置操作者によって操作されると、各画面に表示されたスイッチに対応した内容が制御手段９や孔版印刷装置１００に設定される。
【００３９】
次に、図３を用いて本発明の実施形態における画像形成装置のハードウェア構成について説明する。図３は、本発明の実施形態に係る画像形成装置のハードウェアである電装基板の構成を示す概略ブロック図である。
【００４０】
装置本体内には、孔版印刷装置１００の各部を制御する制御部２０（図１）が配設されている。制御部２０は、図３に示すように、実装基板となるＡＣＵ２００（Application Control Unit）と、ＥＣＵ３００（Engine Control Unit）と、の二つに大きく分かれている。
【００４１】
ＡＣＵ２００は、孔版印刷装置１００のタッチパネルである操作パネル１１１が接続される操作パネル用インタフェース２０５を有している。また、携帯型大容量記憶メディアであるＳＤ（Secure Digital memory card）メモリーカード２０１やＵＳＢ（Universal Serial Bus）メモリ２０３が接続されるインタフェース（ＳＤ  Ｉ／Ｆ  ２０６、ＵＳＢ  Ｉ／Ｆ  ２０９）を有している。さらに、大容量記憶装置であるハードディスク（以下、「ＨＤＤ（Hard Disk Drive）」という。）２０７が接続されるインタフェース（ＨＤＤ  Ｉ／Ｆ  ２０８）を有している。
【００４２】
また、パソコン等の情報端末に対し、ＬＡＮ（Local Area Network）やインターネット等のネットワークを介してアクセスするためのネットワークインタフェースカード（ＮＩＣ）２０２が接続されるインタフェース（ＮＩＣ  Ｉ／Ｆ  ２１２）を有している。そして、無縁ＬＡＮカードを接続するための通信インタフェース（無線ＬＡＮ  Ｉ／Ｆ  ２１４）を有している。また、無給電画像表示装置である電子ペーパー４００を接続するためのＩ／Ｏ（Input/Output）インタフェース（Ｉ／Ｏ  Ｉ／Ｆ  ２２１）を有している。
【００４３】
さらに、ＦＡＸモジュールを接続するためのＦＡＸインタフェース（ＦＡＸ  Ｉ／Ｆ  ２２２）を有している。また、ＥＣＵ３００が接続されるＥＣＵインタフェース（ＥＣＵ  Ｉ／Ｆ  ２１５）を有している。そして、中央演算回路であるＣＰＵ（Central Processing Unit）２１６を有している。
【００４４】
また、記憶手段であるＲＡＭ（Random Access Memory）２１８とＲＯＭ（Read Only Memory）２１７が、ＡＳＩＣ２２０（Application Specific Integrated Circuit）に接続されている。
【００４５】
ＡＣＵ２００は、孔版印刷装置１００の製版、及び／又は蓄積の制御等を行う。また、スキャナ１１０、又はネットワーク経由で転送されてくる文書を蓄積文書としてＨＤＤ  ２０７に蓄積する。さらに、スキャナ１１０、又はＨＤＤ  ２０７に蓄積された蓄積文書、若しくはネットワーク経由で転送された文書データから、最終的に製版データを作成する。そして、作成された製版データをＥＣＵ３００に転送するという働きを受け持つ。なお、本発明によって実現される機能は、主としてＡＣＵ２００に含まれる。
【００４６】
ＥＣＵ３００は、中央演算回路であるＣＰＵ３２１、記憶手段であるＲＡＭ３２２、ＲＯＭ３２３を有している。また、ＡＣＵ２００のＥＣＵインタフェース（ＥＣＵ  Ｉ／Ｆ  ２１５）と接続されるＡＣＵインタフェース（ＡＣＵ  Ｉ／Ｆ  ３２４）を有している。さらに、スキャナ１１０が接続されるスキャナインタフェース（スキャナＩ／Ｆ  ３２６）を有している。
【００４７】
また、画像の像域分離や各種画像補正を行うＩＰＰ（Image Pre-Processor）３２５、プロッタ１０３が接続されるプロッタインタフェース（プロッタＩ／Ｆ  ３２８）を有している。そして、インクジェットユニット１５０が接続されるインクジェットインタフェース（インクジェットＩ／Ｆ  １５１）を有しており、これらはそれぞれＡＳＩＣ３２９に接続されている。
【００４８】
ＥＣＵ３００は、ＡＣＵ２００によって作成された製版データを基に、プロッタ１０３を用いて、周知の孔版原紙となるマスタの感熱孔版フィルムに、熱的プロセスによって穿孔を行う。これにより、製版済みのマスタを作成し、この製版済みのマスタ１０７を印刷ドラム１０１となる版胴の外周面に巻装する。そして、印刷ドラム１０１内部に設置されたインキパック１２０から、インキを供給しながら印刷ドラム１０１を回転さる。
【００４９】
この回転に呼応させるように印刷用紙である記録紙１０６を給紙することにより印刷物たる印刷成果物を得る、という一連のデジタル式の孔版印刷装置１００の製版から印刷に至る動作全般を制御する。また、ＡＣＵ２００により作成された画像データを、インクジェットモジュールに送り込み、孔版方式による画像形成と呼応させながら、インクジェット方式による画像形成をなすように制御する。
【００５０】
なお、孔版印刷装置１００を構成するインクジェットユニット１５０は、主走査方向長の画像形成領域を1つのインクジェットヘッドでカバーでき、ヘッドが固定されたフルライン型ヘッドでも良い。あるいは、インクジェットヘッド長が主走査方向長よりも短く、当該ヘッドを主走査方向に走査することにより、主走査方向の画像形成を行うシャトル型ヘッドであっても良い。
【００５１】
（第１の実施形態）
次に、図４から図７を用いて本発明の第１の実施形態における画像形成装置の動作時にタッチパネルに表示されるメニュー画面について説明する。図４から図７は、本発明の第１の実施形態に係る画像形成装置の動作時にタッチパネルに表示されるメニュー画面の例を示す図である。
【００５２】
まず、孔版印刷装置１００本体のタッチパネルである操作パネル１１１において、図４から図７に示されるようなマイノート生成機能に関する各種設定が予めなされているものとする。より詳細に説明すると、例えば、図４に示すメインメニューから、「編集」項目を、図５に示す「マイノート生成」項目を選択する。そうすると、図６に例示されるマイノート生成機能を設定するためのサブメニューが表示される。
【００５３】
図６では、「テンプレート」−“使用する”、「ページ番号」−“付与する”、「序列ＩＤ」−“使用する”等の各項目が設定されている。テンプレートは、文書フォーマット等のデータが、蓄積文書として、電子データの形で、当該孔版印刷装置１００のＨＤＤ２０７内等に保存されているものである。これは、マイページ生成機能に限らず、ユーザが適宜呼び出して利用できるものである。
【００５４】
「テンプレート」の“使用する”の仮想ボタンを選択すると、さらに図示しないサブメニューが表示される。これにより、ＨＤＤ２０７内に保存されているテンプレート画像等を閲覧したり、適宜選択したりすることができる。
【００５５】
ここで、テンプレートの具体例について、図９を用いて説明する。図９は、本発明の第１の実施形態に係る画像形成装置における最終印刷成果物の例を示す図である。本実施形態では、図９に示す最終印刷成果物の例のように、図９Ｃの部分がテンプレートに該当し、日付欄や署名捺印欄が入ったフリーフォーマットのテンプレートが選択されたことを示している。
【００５６】
なお、テンプレートは、紙原稿を用意して、固定原稿台、又はＡＤＦ（Auto Document Feeder）から読み取られる。又は、孔版印刷装置１００内のＨＤＤ２０７のような大容量記憶装置、又はＵＳＢメモリのような携帯用大容量記憶装置に電子ファイル化されているものから読み取られる。若しくは、ネットワークを介したサーバ等に保存されているもの等がダウンロードされることによって読み取られる、等が従来から行われている。
【００５７】
最近では、ファイル共有、又はファイル交換アプリケーションを備えた孔版印刷装置１００同士で、機密文書を除く蓄積文書を共有し合うようなことも行われており、自前でテンプレートを用意する労力も少なくなってきている。
【００５８】
図６の「ページ番号」項目についても同様である。すなわち、図示しないサブメニューにおいて、ページ番号の「書式」（例えば、“−1−、−２−・・・”、“Ｐ１、Ｐ２・・・”等）、「フォント」、「サイズ」、「付与位置」（例えば、“右上”、“中央下”等）等の各種項目が設定される。なお、このようなオプションは、生成されたノートページの整列の順番である序列が、後述する印刷された序列ＩＤだけでは、人間の目で判別、又は判定することが不可能であるために存在する。
【００５９】
ページ番号を付与せずとも、生成されたノートページのハンドリングを慎重に行い、どの順番でファイリングすれば良いか、又はどの順番で記帳すれば良いか分からなくならないようにすれば、本来の差し替え防止の機能を果たすことは可能である。しかしながら、そこに至るまでのヒューマンエラーを防止することは難しい。ただし、差し替え防止機能を必要としない単なるマイノートを生成する場合、当該差し替え機能オプションである序列ＩＤの付与を選択するか否かは任意である。
【００６０】
なお、自筆のページ番号をノートに記入することにより、当該ページ入りのノートの原本性を保証するという考え方もある。しかしながら、基本的に、上述したヒューマンエラーを排除することはできず、また、改竄の当事者が原本作成者本人である場合には意味をなさなくなる。したがって、実際には、補完的に用いることが効果的であると考えられる。
【００６１】
そのため、本実施形態でも、図９Ｄに示すように、ページ番号を手書きで書き込めるような欄を設けたテンプレートを選択している。しかしながら、そのようなことをせず、またどうしても見栄えやページ番号の二重付与等を気にするのであれば、ページ番号の付与位置を、図９Ｄ部分に指定すれば良い。
【００６２】
本実施形態では、ページ番号の「書式」として、“−１−、−２−・・・”、「位置」として、“中央下”、等が設定されている。最終印刷成果物は、図９Ｂに示されるように具現化される。
【００６３】
図６の「序列ＩＤ」項目は、差し替え防止の機能を果たす中核をなすものであり、図７に示すサブメニューから指定される。基本的な考え方は、マイノート生成時に、ノート自体に、ページ毎に、固有かつ当該ノート内で序列可能な情報である序列ＩＤを付与する。さらに、別個に生成されたノート間では、各対応するページに序列ＩＤの対応性、再現性がない、という仕組みを入れ込めば良い。
【００６４】
本実施形態では、「序列ＩＤ種類」−“楕円曲線”、「序列ＩＤ付与位置」−“左上”、「序列ＩＤ付与形態」−“ＱＲ（Quick Response）コード（登録商標）”、及びサイズ−“１５”［ｍｍ角］等としている。
【００６５】
まず、「序列ＩＤ種類」−“楕円曲線”から説明する。楕円曲線は、一般的に式１の形で表現され、これを満たす点（ｘ、ｙ）のなす関数である。
【００６６】
ｙ2＝ｘ3＋ａｘ＋ｂ・・・＜式１＞
【００６７】
そして、楕円曲線上の任意の点Ｐ（ｘｐ、ｙｐ）、Ｑ（ｘｑ、ｙｑ）に対して、Ｐ＋Ｑを点Ｐ、Ｑを通る直線ともう1つの交点をＲとし、Ｘ軸に関して対称な点Ｒ´をＰ＋Ｑ＝Ｒ´＝（ｘｒ、ｙｒ）と定義する。これらの座標の間には、式２、及び式３の関係がある。なお、無限遠点Ｏも楕円曲線の点と見做す。
【００６８】
ｘr＝λ2−ｘp−ｘq  ｙr＝λ（ｘp−ｘr）−ｙp・・・＜式２＞
【００６９】
【数１】
2014154928.tif 000003
【００７０】
この楕円曲線を素体Ｆｑ（ｑは素数）上で考えると、式４の形で表される。
【００７１】
【数２】
2014154928.tif 000004
【００７２】
いま、説明を簡略化するため、ｑ＝１３、ａ＝２、ｂ＝２とする。このとき、式４を満たす点は、以下に示されるものが挙げられる。
【００７３】
Ｐ1：（８，６）
Ｐ2：（１１，４）
Ｐ3：（６，１０）
Ｐ4：（３，１０）
Ｐ5：（１２，５）
Ｐ6：（２，１２）
Ｐ7：（４，３）
Ｐ8：（４，１０）
Ｐ9：（２，１）
Ｐ10：（１２，８）
Ｐ11：（３，３）
Ｐ12：（６，３）
Ｐ13：（１１，９）
Ｐ14：（８，７）
Ｐ15：Ｏ
【００７４】
ここで、ベースポイント点Ｐを選び、適当な整数ｎに対し、ベースポイントＰをｎ倍した点を求めるスカラー倍算計算を式５のように定義する。
【００７５】
【数３】
2014154928.tif 000005
【００７６】
いま、ベースポイントをＰ１：（８、６）に設定し、スカラー倍算を行っていくと、式６のようになり、一種のリング状の有限状態マシンの形態をとる。
【００７７】
【数４】
2014154928.tif 000006
【００７８】
よって、倍数ｎをページ数に対応させ、得られた座標点を序列ＩＤに対応させれば、本発明の実施形態における差し替え防止のシステムとして機能させることができる。また、最新直近に付与した序列ＩＤを記録・保持しておき、次のマイノート生成時には、次の座標点から付与するようにする。そうすれば、各マイノートの各ノートページに同一の序列ＩＤが付与されることによる差し替え用のノートページが簡単に用意されてしまうことを防止することができる。
【００７９】
さらに、ノートページの序列関係を維持しつつ、かつ、付与された序列ＩＤから当該生成のベースとなった符号を予測し難くなる。加えて、当該符号を利用した当該序列ＩＤの複製をし難い序列ＩＤを生成することができる。
【００８０】
また、倍数ｎをそのままページ数に対応させるのではなく、増分を変えたりする等の工夫も考えられる。このように、スカラー倍算を利用すると、序列ＩＤの生成に関し、より多くの選択肢を提供することができる。
【００８１】
なお、実際の使用においては、ｑを十分大きなものとしたり、群位数が素数となるようなパラメータを選んだりするのが望ましい。また、座標点は、式４、式５で示される各種パラメータやベースポイントを特定しない限り、簡単に求めることはできない。したがって、適当に数値をあつらえて差し替えたものは容易に検出することができる。
【００８２】
一方、このようにして得られた序列コードをどのような形で付与するかというのが、「序列ＩＤ付与形態」項目である。本実施形態では“ＱＲコード”としているが、これに限定されるものではなく、バーコードの類等であっても良い。
【００８３】
しかしながら、人間が可読な英数字等の文字としてしまうと、差し替え用のノートページを生成することが容易にできてしまうので、直接可読できない符号コード、本実施形態では、ＱＲコードを採用している。そして、実際に最終印刷成果物に付与される際には、イエロー（黄）インキによって印刷が行われる。このときの例を図９Ａに示す。
【００８４】
なお、図示しないサブメニューでは、序列ＩＤ付与形態でＱＲコードを指定するときに有効化序列とすることにより、序列ＩＤを印刷する際のサイズを任意に指定できるようになっている。ユーザが指定したサイズが、ＱＲコードのセル数等のバージョン、セル当りのドット数、孔版印刷装置１００の解像度等を考慮して、表示品質を保証できない程度の小さいサイズ指定であった場合、図示しない警告メッセージが発せられるようになっている。
【００８５】
上述した設定や準備がなされた孔版印刷装置１００の制御について、図１０、及び図１１を用いて説明する。図１０、及び図１１は、本発明の第１の実施形態に係る画像形成装置の動作を説明するための処理の流れ図である。
【００８６】
なお、孔版ユニットとインクジェットユニットとによる最終印刷成果物生成のための領域の割り付け指定等が必要である。これらの指定は、マイノート生成機能を有効化した時点で、テンプレート等の固定描画要素である共通描画要素の画像形成は孔版印刷ユニットにより自動的に定まる。また、ページ番号や序列ＩＤ部分等のバリアブル描画要素である変動描画要素の画像形成はインクジェットユニットにより自動的に定まる。
【００８７】
このように、制御側で適当に振り分けられるため、ユーザが特に指定する必要はない。しかしながら、背景画像等をランダム、又はサイクリックに変えるようなマイノート生成の仕方も存在する。本発明の実施形態において、そのような趣向を凝らしたものは特に重要な事項ではないので考慮していない。
【００８８】
本実施形態では、図９に示したような、証拠性が要求される開発者・研究者用のノートの生成を想定する。図１０において、まず、操作者によって、製版スタートキーが押下されると（ステップ（以下、「Ｓ」という。）１００１）、制御部２０は、マイノート生成機能の有効、又は無効設定の確認を行う（Ｓ１００２）。
【００８９】
マイノート生成機能が無効設定である場合（Ｓ１００３：Ｎ）、通常の製版印刷モードで動作する。有効設定である場合（Ｓ１００３：Ｙ）、上述したようなマイノート生成機能実行のための指定パラメータを取得する（Ｓ１００４）。
【００９０】
そして、仮にマイノート生成機能において、テンプレートを使用する旨の指定がなされていた場合（Ｓ１００５：Ｙ）、孔版印刷装置１００に搭載のＨＤＤ  ２０７から指定されたテンプレートデータが読み取られる。あるいは、孔版印刷装置１００に着脱可能に設けられたＵＳＢメモリ２０３、ＳＤカード２０１等の携帯型大容量記憶装置から指定されたテンプレートデータが読み取られる（Ｓ１００６）。
【００９１】
テンプレートを使用しない場合（Ｓ１００５：Ｎ）は、孔版印刷装置１００のスキャナを用いて固定原稿台、又は自動原稿送り装置（ＡＤＦ）にセットされたテンプレート画像たる原稿が読み取られる（Ｓ１００７）。
【００９２】
他方、序列ＩＤを付与する旨の指定がなされていた場合（Ｓ１００８：Ｙ）、指定されたパラメータに則った序列ＩＤの生成と、後述する確認表示用のためのダミー用序列ＩＤとを生成する（Ｓ１００９）。さらに、生成した序列ＩＤを、指定された付与形態に適合した形（本実施形態の場合は、ＱＲコード）へ変換する（Ｓ１０１０）。そして、付与形態に変換された序列ＩＤは、画像データへと変換される（Ｓ１０１１）。
【００９３】
なお、本実施形態では、ページ番号の付与が指定されているが、これらのデータの画像データへの変換は自明であるので詳細な説明を省略する。
【００９４】
この時点において、画像形成のためのデータがすべて出揃うので、制御手段９は、確認表示用の画像データを生成する（Ｓ１０１２）。そして、表示装置である電子ペーパー４００に最終印刷成果物の仕上がり予想イメージを表示する（Ｓ１０１３）。この予想イメージの表示について図８を用いて説明する。図８は、本発明の第１の実施形態に係る画像形成装置における最終印刷成果物の仕上がりイメージの表示例を示す図である。
【００９５】
図８では、フロントカバーの表面に据え付けられた外装タイプの電子ペーパー４００に、印刷用紙１枚の片面分が表示されている。また、この表示の際、序列ＩＤ部分である図８Ａの部分は、実際の最終印刷成果物に付与されるものとは異なったダミーの序列ＩＤが表示される。
【００９６】
これは、デジタルカメラやデジタルカメラ付き携帯電話等により、表示された序列ＩＤを撮影し、差し替え用のデータとして使用されることを抑止するためである。これにより、表示された序列ＩＤを利用したノートページ改竄のための序列ＩＤの複製や、序列ＩＤの解析を抑止することができる。したがって、図９Ａの部分と図８Ａの部分とは異なったものとなっている。
【００９７】
なお、フロントカバーの裏面にも外装タイプの電子ペーパー４００が取り付けられており、これには印刷エラーやジャム発生の際の該当部分のエラー解除の方法やジャム対処の仕方を表示させており、従来のシールによる表示から置き変わっている。さらに、電子ペーパー４００が常時電源に接続され、マイク、及びスピーカを内蔵するタイプであった場合、通常の製版、及び／又は印刷動作時に、アクティブ・ノイズ・キャンセラとして起動させ、静音化ユニットとすることも可能である。
【００９８】
なお、当該序列ＩＤ部分を非表示とするようにしても良いが、序列ＩＤの指定がなされなかったものとユーザが誤認するおそれがあるため、本実施形態ではそのような仕組みにはしていない。
【００９９】
また、予想イメージ確認用の電子ペーパー４００に対してペン入力、及び編集機能があった場合、具体的には、表示されたノートページに対し、手書き文字、イラスト、貼付けオブジェクト等を付加した場合、それらを孔版印刷装置１００にフィードバックして取り込むようにしても良い。さらに、本実施形態では、孔版印刷装置１００のインタフェースが電子ペーパー４００をサポートしているため表示しているが、表示対象たる装置は、タブレット型端末、又はスレート型端末であっても良い。
【０１００】
ユーザによる画像の良否確認が行われると（Ｓ１０１４、Ｓ１０１５：Ｙ）、制御手段９は、孔版ユニット用の画像データとインクジェットユニット用の画像データとを生成する（図１１  Ｓ１１０１、Ｓ１１０３）。生成された画像データを基に、各々のユニットによる画像形成が連携して行われ（Ｓ１１０２、Ｓ１１０４）、マイノート、及びマイノートページが生成される。
【０１０１】
以上説明したように、ノートページの原本性である証拠性を有しつつ、デザイン上の美観を損なうことなく、かつ、序列ＩＤの鑑定において、特別の器具や装置を必要としない画像形成装置を提供することができる。
【０１０２】
（第２の実施形態）
次に、図１２、及び図１３を用いて本発明の第２の実施形態について説明する。図１２は、本発明の第２の実施形態に係る画像形成装置における序列ＩＤ鑑定を説明するための概略図であり、図１３は、本発明の第２の実施形態に係る画像形成装置の動作を説明するための処理の流れ図である。
【０１０３】
本実施形態では、第１の実施形態でノートページに付与された序列ＩＤに対して、序列ＩＤ鑑定機能を用いた差し替えの有無の検出について説明する。その前に、孔版印刷装置１００に搭載されているスキャナについて、若干、補足説明をしておく。
【０１０４】
近年、オフィスや事業所等に設置される、複写機（ＰＰＣ：Plane Paper Copier）、複合機能プリンタ（ＭＦＰ：Multifunction Peripheral）は、カラー化が著しい。したがって、新規購入はもとより、モノクロＰＰＣ、又はモノクロＭＦＰから、カラーＰＰＣ、又はカラーＭＦＰへと急速に置き換えが進んでいる。
【０１０５】
これにより、ＰＰＣやＭＦＰに搭載されているスキャナも、カラースキャナが当たり前になり、それに伴い、従来高価であったカラースキャナ自体の相対的なコストも年々低下しつつある。一方、孔版印刷装置においては、基本的な作像工程はモノクロ製版、及び／又は印刷を基本としているため、スキャナも長らくモノクロスキャナが使われていた。
【０１０６】
しかしながら、このようなオフィス環境の変化や、これに伴うモノクロスキャナの製造打ち切りや製造機種・製造規模の縮小等により、孔版印刷装置用のモノクロスキャナの入手や安定確保が、年々難しくなりつつある。
【０１０７】
この対応策として、基本的に作像エンジンはモノクロをベースとしているにもかかわらず、スキャナはカラースキャナ搭載という、アンバランスな構成・仕様の孔版印刷装置が製造・販売されている。しかしながら、実際の動作である原稿読み取りにおいて、カラースキャナを搭載しているにもかかわらず、モノクロモードでしか使用していないのが実状である。このように、専らモノクロスキャナの代用という使い方しかされていないため、その能力を十分発揮しているとはいえない。
【０１０８】
本実施形態では、このようなカラースキャナ搭載の非ハイブリット型孔版印刷システムにおける序列ＩＤ鑑定について説明する。以下、図１２の序列ＩＤ鑑定機能の概略、及び図１３の流れ図を用いて説明をしていく。まず、当該機能のトリガは、図６のサブメニューに示される「序列ＩＤ鑑定」仮想ボタンを選択することにより行われる。これにより、図示しないメッセージ表示に従い、ユーザは、鑑定対象となるノートページを固定原稿台、又はＡＤＦにセットする。
【０１０９】
序列ＩＤ鑑定は、２段階の手順によって行われる。まず、当該ノートページの序列ＩＤの順序を検証する前に、当該ノートページで抽出された序列ＩＤが、上述した楕円曲線上に存在するか否かを検証する。存在しない場合、その時点で当該ノートページが不正なものであることが分かる。
【０１１０】
存在する場合、基本的に鑑定の対象となるノートページのほか、少なくとも前後何れか１枚のノートページの序列ＩＤを抽出して、序列ＩＤを比較する。それは、対象ノートページだけでは、ノートページ間の前後関係を判断することができないので、結果として差し替えの有無の検知ができないためである。
【０１１１】
本実施形態では、対象ノートページ（図１２  鑑定対象のノートページ（Ｎ））とその前後のノートページ（図１２  鑑定対象の前のノートページ（Ｎ−１）、鑑定対象の後のノートページ（Ｎ＋１））が用意できるものとしている。ただし、当該ノートページと、その前後のノートページとのすべてが揃わなかったからといって、序列ＩＤ鑑定が中止、又は鑑定不能とされることはない。
【０１１２】
例えば、当該ノートページしか用意できない場合であっても、前述したとおり第１段階レベルでの鑑定は可能である。また、当該ノートページとその前のノートページ、又は当該ノートページとその後のノートページでは、第２段階レベルの鑑定が可能になる。当該ノートページとその前後のノートページではさらに鑑定の精度が増すという具合である。
【０１１３】
図１３において、ノートページのセットが完了し、ユーザによってスタートキーが押下されると（Ｓ１３０１）、制御手段９は、ノートページの読み取りスキャンを開始する（Ｓ１３０２からＳ１３０６）。このとき、制御手段９は、スキャナのモードを、モノクロ読み取りモードからカラー読み取りモードに変更する（Ｓ１３０２）。
【０１１４】
孔版印刷装置１００のスキャナにおいて、原稿照射の光源は白色光であり、読み取りはＲＧＢ３色ラインフィルタ型ＣＣＤ（Charge Coupled Device）の構成になっている。しかし、デフォルトのモノクロ読み取りモードでは、読み取り画像データとして緑データを使用しているため、本実施形態における黄色、又は淡黄色インキの序列ＩＤ情報を読み取ることはできない。そこで、序列ＩＤ鑑定時には、スキャナをカラー読み取りモードにして、青データを利用できるようにする。読み取り終了後は、元のモノクロ読み取りモードに戻している（Ｓ１３０６）。
【０１１５】
さらに、図１３では、対象ノートページの前ページ、対象ノートページ、対象ノートページの後ページの順で読み取っていくようになっている。ただし、上述したように、用意できない、又は読み取らせたくないノートページについては、対象ノートページを除き、図示しないメッセージ表示に従い、いくつかの手順をスキップ可能である。
【０１１６】
そして、読み取られた画像データから、序列ＩＤの探索がなされる（Ｓ１３０７）。しかしながら、場合によっては序列ＩＤを検出できないことがある（Ｓ１３０８：Ｎ）。この場合は、ユーザに対して、明示的なマイノート生成機能のパラメータを入力してもらうよう通知する（Ｓ１３１２）。
【０１１７】
すなわち、当該ノートページ生成時に付与した序列ＩＤのパラメータを明示的に指定してもらうのである。制御手段９は、入力されたパラメータを取得し（Ｓ１３１３）、これを基に再度序列ＩＤの再探索を行う（Ｓ１３１４）。それでも検出できなかった場合は（Ｓ１３１５：Ｎ）、その旨のメッセージを表示して処理を終了する（Ｓ１３１６）。
【０１１８】
探索、又は再探索により序列ＩＤが検出された場合（Ｓ１３０８：Ｙ）、制御手段９は、引き続き序列ＩＤの解析を行う（Ｓ１３０９）。
【０１１９】
本実施形態では、楕円曲線符号を用いているので、その抽出されたデータが、ベースポイント、及びそのスカラー倍算のどの点に該当するかどうかを調査する。図１２では、それぞれ、序列ＩＤデータＡ、序列ＩＤデータＢ、及び序列ＩＤデータＣが抽出されており、それらのスカラー倍算された点として、それぞれ、Ｐ５、Ｐ１３、及びＰ７が検出されている。
【０１２０】
そして、序列ＩＤ鑑定、すなわち差し替えの有無判定が行われる（Ｓ１３１０）。鑑定対象のノートページ（Ｎ）は、本来Ｐ６に対応する序列ＩＤが付与されていなければならないはずである。しかしながら、抽出された序列ＩＤは、もっと後に生成されたもの（Ｐ１３）であり、順序関係に逆転が起きている。
【０１２１】
これにより、当該ノートページ（Ｎ）は、当該マイノート生成時にその前後のノートページと共に生成されたものではなく、異なる時期に生成され、オリジナルのノートページと置き換えられたもの、すなわち、差し替えが行われた可能性が高いと判断される。そして、制御手段９は、これらの結果を表示して、ユーザに知らせる（Ｓ１３１１）。
【０１２２】
このように、非ハイブリット型孔版印刷システムにおいても、インクジェットユニットが装備されていないため、序列ＩＤの付与はできないものの、序列ＩＤ鑑定は十分利用できることがわかる。また、実際の市場においても、序列ＩＤの鑑定が、ハイブリット型のみに限定されないのは、機器依存性を低くすることができ、ユーザにとってメリットのあることである。当然のことながら、ハイブリット型孔版印刷システムにおいては、序列ＩＤの付与、及び序列ＩＤ鑑定が可能であることは自明である。
【０１２３】
なお、本実施形態では、序列ＩＤ鑑定を、孔版印刷システム自身によって行っている。しかしながら、序列ＩＤ付与形態がＱＲコード等に限定されている場合、デジタルカメラやデジタルカメラ付き携帯電話に当該序列ＩＤ鑑定アプリケーションを組み込むことが可能である。そして、当該序列ＩＤを撮像し、取り込んだ序列ＩＤを解析することにより、同様のことが実施可能である。要するに、序列ＩＤ鑑定機能のみを他の機器に分離して利用することができるのである。
【０１２４】
（第３の実施形態）
次に、図１４、及び図１５を用いて本発明の第３の実施形態について説明する。図１４は、本発明の第３の実施形態に係る画像形成装置のランダムビット符号生成を説明するための概略図であり、図１５は、本発明の第３の実施形態に係る画像形成装置におけＰＮ符号による序列ＩＤ付与を説明するための概略図である。
【０１２５】
本実施形態では、序列ＩＤとして、符号自体が循環符号列における符号位置を指標できる疑似ノイズ符号（ＰＮ：Pseudorandom Noise符号）を利用している。ＰＮとは、疑似乱数符号や拡散符号等とも呼ばれ、ｎ個の２進数のビット列を与えて作る周期性を持つ２n-1のビット列である。これらの符号生成方法の詳細について、若干説明する。
【０１２６】
図１４は、拡散符号のうち、最長符号系列（ｍ系列：maximal sequence）のＰＮ符号の生成方法を示したものである。ｍ系列は、シフトレジスタｎ段と遅延素子とにより生成することができる符号系列の中で最長（２n−１）のビット列をなすものである。
【０１２７】
図１４には、Ｄ１からＤ８で表される８ビットのシフトレジスタと排他的論理和（ＸＯＲ）から成るランダムパターン生成の一例を示す。なお、初期値シフトレジスタの初期値はすべて１としている。この状態から、右シフトを行い、その際、Ｄ８から溢れたビットが、ランダムパターンのビットとして使われる。また、右シフト後のＤ１には、シフト前のＤ４、Ｄ５、Ｄ６、Ｄ８について、排他的論理和をとり、その結果を入れている。
【０１２８】
ちなみに、ＰＮ符号においては、０と１の出現確率は、略５０％：５０％になるという性質を持ち、出現に偏りがないので塗り潰しパターンとして適している。本実施形態では、図１５に示すように、当該ＰＮ符号を、符号列上の一意の位置を特定できるだけのビット列のみ格納するのではない。すなわち、それ以上のある程度纏ったビット符号列を、ＱＲコードのような２次元コード用に画像パターン化したものにして付与している。
【０１２９】
図１５において、８×８のマス目の一つ一つがビットに対応しており、マス目が全て塗り潰されているものが符号“１”、マス目の中心が白でその周囲を黒で囲まれているものが符号“０”に対応する。よって、本実施形態では、６４ｂｉｔ分のＰＮ符号のビット列がノートページに付与されることになる。
【０１３０】
ただし、図１５（Ａ）は、ｎ＝６の時のＰＮ符号生成の例示であり、図１５（Ｂ）は、２次元コードとして具現化した時の例示である。すなわち、図１５は、あくまでＰＮ符号生成の仕組みや２次元コードとしての具現化の方法を説明するためのものである。実際のノートページ用の序列ＩＤ生成に使用されるｎの数は十分大きなものが使用される。
【０１３１】
また、図１５の符号“１”及び“０”に対応するシンボルや、ノートページに付与されるビット数はあくまで一例であり、本実施形態に限定されるものではない。なお、シンボルは、マス目を全黒、全白にしていない。それは、同一ビット、特に全白“０”がシンボルサイズである８マス（８ｂｉｔ）を超えて続いた場合、ノートページの白地と、シンボルエリアとの区別がつかず、不適切なシンボルと見做されてしまうのを防止するためである。
【０１３２】
このような仕組みを導入することにより、ＱＲコードに近似するものであるため、ＱＲコードリーダが不要となるばかりでなく、仮に、ＱＲコードリーダで読み取ろうとしても無効と判定され、秘匿性を高めることができる。また、位置特定のための必要最小限の抽出ビット列以上の情報を含むため、汚れやシンボルの黄ばみ等の経年変化による読み取りエラー等へのロバスト性を高めることができる。
【０１３３】
（第４の実施形態）
次に、図１６を用いて本発明の第４の実施形態について説明する。図１６は、本発明の第４の実施形態に係る画像形成装置におけるＰＮ符号による序列ＩＤ付与を説明するための概略図である。
【０１３４】
本実施形態も、序列ＩＤとして、符号自体が循環符号列における符号位置を指標できる疑似ノイズ符号（ＰＮ符号）を利用したものである。基本的に第３の実施形態を基本にしているが、当該符号を、仮想的な格子点に対する位置変調したドットパターン化したものであること、すなわち、付与形態が異なっている。
【０１３５】
より詳細には、図１６に示すように、生成されたＰＮ符号を２ビットずつに区切って組を作り、その組によって、図１６（Ｂ）に示されるような、仮想格子点に対するドット位置を割り付ける。このようにして位置変調したＰＮ符号のビット列を、図１６（Ｃ）に示すような３×３の仮想格子からなるシンボルエリアに割付けたものを序列ＩＤの付与形態とする。
【０１３６】
このような仕組みにすることにより、よりシンプルでコンパクトな付与形態とすることができる。また、ドットパターンの形態となるため、より目視で認識し難くなり、序列ＩＤの秘匿性を増すことが期待できる。
【０１３７】
なお、図１６（Ｂ）の仮想格子は説明の都合上描画しているが、実際のノートページへの付与においては省略されていても良い。それは、ドットの格子点からの変位量は、どのパターンにおいても一定にしているため、幾何的な関係から仮想格子を割り出せるためである。さらに、本実施形態では、２ビットずつの組み分けや、図１６（Ｂ）のパターンへの割り付けを行っているが、これはあくまでも一例であり、これに限定されるものではない。
【０１３８】
ところで、ドットパターンから一意の位置座標を特定可能な絶対位置符号化パターンである、いわゆるアノトシステムと称される技術が存在しており、見かけ上、本実施形態は、それに類似しているように見えるが、異なるものである。すなわち、アノトシステムは、ドットパターンから一意の位置座標を割り出せるとされている。よって、位置座標であるドットパターンの与え方に序列を決定づけるような一定の規則性を持たせれば、序列ＩＤとして利用可能であると考えられる。
【０１３９】
なお、図１０、図１１、及び図１３に示した本発明の実施形態における孔版印刷装置１００の各動作は、コンピュータ上のプログラムに実行させることもできる。孔版印刷装置１００のＣＰＵ  ２１６が、ＲＯＭ  ２１７、及びＲＡＭ  ２１８に格納されたプログラムをロードする。そして、プログラムの各処理ステップが順次実行されることによって行われる。
【０１４０】
以上説明したように、本発明によれば、ノートページの原本性たる証拠性を有しつつも、デザイン上の美観を損なうことなく、ページの差し替え防止、及び／又は検出を行うことが可能となる。また、序列ＩＤの鑑定において、特別の器具や装置を必要としない仕組みを提供できる画像形成装置、画像形成システム、及び制御方法を得ることができる。
【０１４１】
以上、本発明の好適な実施形態により本発明を説明した。ここでは特定の具体例を示して本発明を説明したが、特許請求の範囲に定義された本発明の広範囲な趣旨及び範囲から逸脱することなく、これら具体例に様々な修正及び変更が可能である。
【符号の説明】
【０１４２】
１    画像形成システム
２    マイノート生成機能指定手段
３    共通描画要素印刷手段
４    序列ＩＤ生成手段
５    序列ＩＤ不可読変換手段
６    序列ＩＤ印刷手段
７    読み取りモード切換手段
８    序列ＩＤ鑑定手段
９    制御手段
２０    制御部
１００    画像形成装置
１０１    印刷ドラム
１０２    プレスローラ
１０３    プロッタ
１０４    排版手段
１０５    給紙手段
１０６    記録紙
１０７    マスタ
１０８    搬送手段
１０９    排紙手段
１１０    スキャナ
１１１    操作パネル
１１３    切り換えキー
１１４    スタートキー
１１５    表示部（タッチパネル）
１１６    初期設定／プリンタ設定キー
１１７    印刷位置調製キー
１１８    プリントスピード設定キー
１２１    切換部材
１２２    再給紙手段
１５０    インクジェットユニット
１６０    孔版ユニット
２００    ＡＣＵ
２０１    ＳＤカード
２０２    ＮＩＣ
２０３    ＵＳＢメモリ
２０４    ＲＴＣ
２０５    操作パネルＩ／Ｆ
２０６    ＳＤ  Ｉ／Ｆ
２０７    ＨＤＤ
２０８    ＨＤＤ  Ｉ／Ｆ
２０９Ａ、２０９Ｂ    ＵＳＢ  Ｉ／Ｆ
２１２    ＮＩＣ  Ｉ／Ｆ
２１４    無線ＬＡＮ  Ｉ／Ｆ
２１５    ＥＣＵ  Ｉ／Ｆ
２１６、３２１    ＣＰＵ
２１７、３２３    ＲＯＭ
２１８、３２２    ＲＡＭ
２２０、３２９    ＡＳＩＣ
２２１    Ｉ／Ｏ  Ｉ／Ｆ
２２２    ＦＡＸ  Ｉ／Ｆ
３００    ＥＣＵ
３２４    ＡＣＵ  Ｉ／Ｆ
３２５    ＩＰＰ
３２６    スキャナＩ／Ｆ
３２８    プロッタＩ／Ｆ
４００    電子ペーパー
【先行技術文献】
【特許文献】
【０１４３】
【特許文献１】特開２００６−１９５８８９号公報
【特許文献２】特開２００７−２５７３０８号公報
【特許文献３】特開平０５−１２０４０８号公報
【図１】
2014154928.tif 000007
【図２】
2014154928.tif 000008
【図３】
2014154928.tif 000009
【図４】
2014154928.tif 000010
【図５】
2014154928.tif 000011
【図６】
2014154928.tif 000012
【図７】
2014154928.tif 000013
【図８】
2014154928.tif 000014
【図９】
2014154928.tif 000015
【図１０】
2014154928.tif 000016
【図１１】
2014154928.tif 000017
【図１２】
2014154928.tif 000018
【図１３】
2014154928.tif 000019
【図１４】
2014154928.tif 000020
【図１５】
2014154928.tif 000021
【図１６】
2014154928.tif 000022